(57)【要約】      （修正有）【課題】簡単な構成で、成形物に合わせて作り直したり芯出しする必要がない、１台で異なるサイズの陶芸作品を仕上げることのできるシッタを提供する。【解決手段】複数の略円錐台を着脱可能に段重ねして構成される略円錐台の本体と、前記略円錐台の本体を轆轤のターンテーブル２上に固定するための円形の亀板１６と、を具備する。最下段１５は亀板１６に固定されており、亀板１６の直径は轆轤のターンテーブル２の直径と同径以上となっている。亀板１６底面の円周には少なくとも３以上のクッション付固定金具１６１が下垂直方向に設置されており、亀板１６底面を轆轤のターンテーブル２に当着させることにより、固定金具１６１がターンテーブル２の側面に密着し亀板１６がターンテーブル２上に繋止される。使用時には、成形物の内径又は外径に合わせて本体を構成する２以上の略円錐台の数を増減させ、シッタ本体の最上部となる略円錐台の上底の直径と成形物の内径又は外径とがほぼ等しくなるようにする。【選択図】図１
0003186165.tif 000002
【実用新案登録請求の範囲】
【請求項１】
陶芸用シッタであって、
２以上の略円錐台を着脱可能に段重ねして構成される略円錐台の本体と、
前記円錐台の本体を轆轤のターンテーブル上に固定するための亀板と、
を具備し、成形物の内径又は外径に合わせて前記本体を構成する２以上の円錐台の数を増減させ、前記内径又は外径が異なる成形物を加工することを特徴とするシッタ。
【請求項２】
素焼き粘土、鋳鉄、アルミニウム、ステンレス又はプラスチックを素材とすることを特徴とする請求項１記載のシッタ。
【考案の詳細な説明】
【技術分野】
【０００１】
本考案は、陶芸用シッタに関する。
【背景技術】
【０００２】
焼き物は、水挽きの終わった作品をある程度乾燥させ、轆轤上で伏せて高台や側面、内側を削り取り整形を行う。その際、そのまま作品を伏せると、轆轤のターンテーブル上に作品を固定するために用いる粘土により口縁が汚れたりつぶれたりするため、轆轤のターンテーブルに円筒型の治具を備え付けて、その上に伏せて削り作業を行う。この円筒型の治具をシッタという。
【０００３】
シッタは繰り返し使えるように粘土で作られ、生乾き又は素焼きを施したものを使うが、その口径は成形物の内径又は外径に合わせて作成される。したがって、通常シッタは成形物が変わるたびに作成するか、予めサイズの異なる複数のシッタを用意しておく。シッタを轆轤のターンテーブルに固定する際、設置するたびに芯出しをする必要があるが、初心者には面倒で手間がかかる。
【先行技術文献】
【特許文献】
【０００４】
【特許文献１】実用新案登録第３１４１６２３号
【考案の概要】
【考案が解決しようとする課題】
【０００５】
シッタは成形物に合わせたサイズのものを個別に用意しなければならないため、作品の内径、外径の大きさに合わせて作成し、ターンテーブルに設置するたびに芯出しをせねばならない。
【０００６】
また、成形物のサイズがある程度予想範囲内であれば、合致するサイズの数だけ用意しておくこともできるが、保管に場所をとる。
【０００７】
これらの問題を解決すべく、前記特許文献１には、シッタの開口部の口径を成形物の大きさに合わせて変えることができるシッタの考案が開示されている。同考案においては、轆轤のターンテーブルに固定した底板の上に円錐を形成するように複数の腕木を中心方向に傾けて斜立させ、腕木頂端の集合体が形成する開口部の口径を調整することにより、形状の異なった成形物の高台等の削りだし作業への着手を容易にするものであるが、集合体としての腕木の斜度を同時に変化させる機構が複雑なうえ、腕木頂端の集合体が形成する開口部は、通常のシッタ最上部のような連続線の円周となっていないため、成形物を載置した時の安定性や防傷性に問題がある。
【０００８】
以上の問題点に鑑み、本考案は簡単な構成で、成形物に合わせて作り直したり、設置時に芯出しをする必要がなく、１台で異なるサイズの陶芸作品を仕上げることのできるシッタを提供することを課題とする。
【課題を解決するための手段】
【０００９】
上記課題を解決するため本考案に係るシッタは、複数の略円錐台を着脱可能に段重ねして構成される略円錐台の本体と、前記円錐台の本体を轆轤のターンテーブル上に固定するための円形の亀板と、を具備する。
【００１０】
シッタ本体の最下段は前記亀板に芯出しをして固定されており、亀板の直径は轆轤のターンテーブルの直径とほぼ等しいものを標準とするが、ターンテーブルの直径より大きな作品を整形する場合には、ターンテーブルより直径の大きな亀板に必要とする大きさのシッタを固定することにより整形が可能となる。亀板底面の円周には少なくとも３以上のクッション付の固定金具が下垂直方向に設置されており、ターンテーブルの側面に圧着することにより、中心がずれることなく亀板底面を轆轤のターンテーブルに当着させる。
【００１１】
使用時には、成形物の内径又は外径に合わせて前記本体を構成する円錐台の数を増減させる。すなわち、小径の成形物を扱う場合には増段し、大径の成形物の場合には減段することにより、シッタ本体の最上部となる円錐台上底の直径と成形物の内径又は外径とがほぼ等しくなるようにする。
【考案の効果】
【００１２】
成形物のサイズに合わせて、段を増減させて使用することにより、シッタの数は１セットですむ。これにより、複数のシッタを用意しておく必要がなくなる。
【００１３】
内径や外径の異なる成形物の高台等を削る場合、それぞれのサイズのシッタを設置し直すため、その度毎にシッタの芯出しをし直さなければならなかったが、この手間が不必要となる。
【００１４】
亀板上にシッタ最下段が固定されているため、ワンタッチで轆轤のターンテーブルにシッタを取付けることができる。
【００１５】
従来のように、轆轤のターンテーブル上に粘土でシッタを固定する手間が不要となり、また粘土の乾燥によるターンテーブルからの剥がれも生ぜず、固定が確実となる。
【図面の簡単な説明】
【００１６】
【図１】段重ねシッタの全体斜視図である。
【図２】段重ねシッタの第４段及び最下段の縦断面図である。
【図３】成形物（茶碗）を最上段に上向きに載置した状態を示す段重ねシッタと成形物の縦断面図である。
【図４】成形物（茶碗）を最上段に逆さに載置した状態を示す段重ねシッタと成形物の縦断面図である。
【考案を実施するための形態】
【００１７】
以下、本考案の実施形態の１例を図面を参照して説明する。
【００１８】
本考案に係る段重ねシッタ１の本体は、少なくとも２段の略円錐台によって構成されるが、本実施形態の段重ねシッタ１の本体は、図１に示すように、着脱可能な５段の略円錐台によって構成される。
【００１９】
シッタ本体の最下段１５は、中心がずれることなく、木螺子によって亀板１６に固定されており（図２）、亀板１６の底面の円周にはゴムで被覆された４個の固定金具１６１が等間隔で下垂直方向に設置されている。亀板１６の直径は轆轤２のターンテーブル２１の直径と同径以上であり、シッタ１を轆轤２にセットするには、亀板１６の底面を轆轤２のターンテーブル２１に当着させる。これにより、前記４個の固定金具１６１がターンテーブル２１の側面を挟圧し亀板１６がターンテーブル２１上に繋止される。
【００２０】
図２に示すように、シッタ１本体を構成する各段の形状は、上縁部１１１の縦断面が半楕円状になっており、最下段１５を除いて下縁部１１２に嵌着溝１１３を有する。上段を下段に重ねるときは、下段の上縁部１１１が上段下縁部１１２の嵌着溝１１３に嵌着する形で接合する。素焼きの性質上、接合面の摩擦は大きく、作業中に接合部がずれる心配はない。
【００２１】
図３は、茶碗等の成形物３の内側を削るために、成形物３を上向きに載置した状態を示す縦断面図である。この場合には、成形物３を接受する上縁部１１１の内受面１１５と成形物３の外側面３１とが当接するが、当接面の面積が大きくなるように、各段の内側に突出部１１６が設けられている。
【００２２】
図４は、茶碗の高台３３や外側面３１を削るために、成形物３を逆さに載置した状態を示す縦断面図である。この場合は、上縁部１１１の外受面１１４が成形物３の内側面３２と当接するが、ここでも当接面の面積が大きくなるように外受面１１４の傾斜度が考慮されている。
【００２３】
本考案の有する多くの特徴、及び優れた点を、考案の構造と機能の詳細をあげて上記実施形態に記載したが、本考案は、本考案の原理の範囲内で、本願の実用新案登録請求の範囲で使用されている言葉を広く一般的な意味にまで広げて、細かな点、特に形状、大きさ及び部品の配置・数を変更しての実施が可能である。特にシッタを構成する略円錐台の数、内壁・外壁の形状及び素材については、様々なものとすることが可能である。
【符号の説明】
【００２４】
１      段重ねシッタ
１１    本体最上段
１２    本体第２段
１３    本体第３段
１４    本体第４段
１５    本体最下段
１１１  上縁部
１１２  下縁部
１１３  嵌着溝
１１４  外受面
１１５  内受面
１１６  突出部
１６    亀板
１６１  固定金具
１７    木螺子
２      ターンテーブル
３      成形物（茶碗）
３１    成形物の外側面
３２    成形物の内側面
３３    高台
【図１】
0003186165.tif 000003
【図２】
0003186165.tif 000004
【図３】
0003186165.tif 000005
【図４】
0003186165.tif 000006